(57)【要約】【課題】  開口部を全開し得る範囲まで蓋体を軽快に安定した状態で開閉可能にする開閉構造を提供することにある。【解決手段】  収容体１の開口部１０を開閉する蓋体５において、収容体は相対する前後壁１１，１２と、相対する左右側壁１３，１４の下側に底壁１５を備え、開口部が略矩形状を成していて、前後壁の上側に左右方向に平行する案内部３１，３２を個々に備え、蓋体は開口部の左半分を塞ぐ左分割蓋５１と、右半分を塞ぐ右分割蓋５２とに二分割され、天壁５ｃの前方側に前壁案内部３１の外側において相対する前側裾部を、後方側に後壁案内部３２の外側において相対す後側裾部を備え、前側裾部に前壁案内部に沿って往復する前滑走部４１を、後側裾部に後壁案内部に沿って往復する後滑走部４２を個々に備え、蓋体の任意位置に開閉用の手掛り９１を各々備えていることを特徴とする。【選択図】        図１
2016182995.tif 000002
【特許請求の範囲】
【請求項１】
収容体（１）の開口部（１０）を開閉する蓋体（５）において、
収容体（１）は相対する前後壁（１１，１２）と、相対する左右側壁（１３，１４）の下側に底壁（１５）を備え、開口部（１０）が略矩形状を成しており、
前後壁（１１，１２）の上側に左右方向に平行する案内部（３１），（３２）を個々に備え、
蓋体（５）は天壁５ｃの前方側に前壁案内部（３１）の外側において相対する前側裾部（５ａ）を、後方側に後壁案内部（３２）の外側において相対す後側裾部（５ｂ）を備え、
各裾部と相対する各案内部の少なくとも一方、又は両方に跨って滑走部を備え、左右方向にスライドして開口部（１０）を開閉し得ることを特徴とする開口部の開閉構造。
【請求項２】
前側裾部（５ａ）と前壁案内部（３１）の間に前滑走部（４１）を、後側裾部（５ｂ）と後壁案内部（３２）の間に後滑走部（４２）を備え、この前滑走部（４１）と後滑走部（４２）が蓋体（５）の開閉方向に伸縮するスライドレール（７）であることを特徴とする請求項１記載の開口部の開閉構造。
【請求項３】
蓋体（５）の見やすい位置に、音や光で危険を知らせる警報機器（２）を備えていることを特徴とする請求項１または２記載の開口部の開閉構造。
【請求項４】
収容体（１）は前後壁（１１，１２）の左右に中央部より高くなる隆起部（１６，１７）を各々備え、左右側壁（１３，１４）の上側に前記隆起部（１６，１７）まで達する目隠し（１８，１９）を各々備え、蓋体（５）は収容体（１）の隆起部（１６，１７）に覆い被さるよう蒲鉾状を成し、閉鎖時に隆起部（１６，１７）と目隠し（１８，１９）の何れかに当接するストッパー（６）を備えていることを特徴とする請求項１，２または３記載の開口部の開閉構造。
【請求項５】
蓋体（５）は、開口部（１０）の左半分を塞ぐ左分割蓋（５１）と、右半分を塞ぐ右分割蓋（５２）とに二分割され、
左右分割蓋（５１，５２）は、前壁案内部（３１）の外側において相対する前側裾部（５１ａ，５２ａ）と、後壁案内部（３２）の外側において相対す後側裾部（５１ｂ，５２ｂ）を各々備え、前側裾部（５１ａ，５２ａ）に前壁案内部（３１）に沿って往復する前滑走部（４１）を、後側裾部（５１ｂ，５２ｂ）に後壁案内部（３２）に沿って往復する後滑走部（４２）を備えていることを特徴とする請求項１，２，３または４に記載の開口部の開閉構造。
【請求項６】
スライドレール（７）は、前後壁案内部（３１，３２）に取付ける第一レール（７１）と、左右分割蓋（５１，５２）の前側裾部（５１ａ，５２ａ）、及び後側裾部（５１ｂ，５２ｂ）に取付ける第二レール（７２）、及び両レール（７１，７２）間に介在する滑走体（８）とから成り、
左右分割蓋５（１５）２の閉鎖状態には第一レール（７１）と第二レール（７２）と滑走体（８）の三者が重なり合い、全開状態には第一レール（７１）と第二レール（７２）は最も離れ、滑走体（８）が両レール（７１，７２）の任意位置にあり、開閉作動に従って長手方向に伸縮し得ることを特徴とする請求項２または５記載の開口部の開閉構造。
【請求項７】
収容体（１）と蓋体（５）は合成樹脂製であり、蓋体（５）の任意位置に開閉用の手掛り（９１）を、収容体（１）の左側壁側と右側壁側の少なくとも一方に持ち手（９）を備え、収容体底面（１５）の下側にキャスター（２０）を走行自在に取付けていることを特徴とする請求項１〜６のいずれか１項に記載の開口部の開閉構造。
【発明の詳細な説明】
【技術分野】
【０００１】
本発明は、上向きに開口している投入口に対する開口部の開閉構造に関するものであり、詳しくは、蓋体を左右にスライドして開閉するものである。
【背景技術】
【０００２】
投入口を有する容器、収納体、収容体等の多くは、蓋体によって収容物が飛散したり雨に濡れたりしないようにされている。この開口部の嵌脱手段や開閉手段は、多種多様に提案されている。例えば投入口を構成する一方側に蓋体の一端部を蝶板等で軸支し、その軸支部を支点にして扉体を開閉揺動する（以下、片持ち式とする。）が知られている。（特許文献１，２）
また、投入口を構成する両側に、投入口の半分に相当する蓋体を各々軸支し、その軸支部を支点にして各扉体を開閉揺動する（以下、観音開き式とする。）が知られている。（特許文献３，４）
更に、投入口の上側又は下側に扉ガイド溝を備え、扉ガイド溝に沿って蓋体を摺動して開閉する（以下、スライド式とする。）が知られている。（特許文献５，６，７）
【先行技術文献】
【特許文献】
【０００３】
【特許文献１】実用新案登録第２６０４４２５号公報
【特許文献２】実用新案登録第２６０４６２７号公報
【特許文献３】実用新案登録第２５８６５０２号公報
【特許文献４】実用新案登録第３１６３３００号公報
【特許文献５】実用新案登録第号２５８９５３６公報
【特許文献６】実用新案登録第３１４４０５２号公報
【特許文献７】実用新案登録第３１５２９８７号公報
【発明の概要】
【発明が解決しようとする課題】
【０００４】
従来の蓋体開閉構造の内、片持ち式にあっては、蓋体を投入口よりやや大きめに形成する必要があるため、投入口が大きくなるに従い蓋体も大きくなり、且つ重くなるので、開放時には大きな労力を要する問題点もあるし、蓋体の閉鎖時には、蓋体の重さも加わるため、本体との当接時に衝撃が発生する問題点もあった。
観音開き式にあっては、片持ち式の欠点は解消するものの、閉鎖状態の維持手段に工夫が必要であった。
スライド式にあっては、片持ち式や観音開き式の欠点は解消するものの、その構造が複雑になる等の問題点があった。
そこで出願人は、スライド式の蓋体開閉構造による問題点の改善をめざし、研究を進めた結果、新たなスライド方式を発明し、開口部を全開し得る範囲まで蓋体を軽快に安定した状態で開閉可能にしたものである。
【課題を解決するための手段】
【０００５】
上記目的を達成するために、本発明の開口部の開閉構造（以下、開閉構造とする。）は、請求項１として、収容体の開口部を開閉する蓋体において、収容体は相対する前後壁と、相対する左右側壁の下側に底壁を備え、開口部が略矩形状を成していて、前後壁の上側に左右方向に平行する案内部を個々に備え、蓋体は天壁の前方側に前壁案内部の外側において相対する前側裾部を、後方側に後壁案内部の外側において相対す後側裾部を備え、前側裾部と前壁案内部の少なくとも一方、又は両方に跨って前滑走部を備えると共に、後側裾部と後壁案内部の少なくとも一方、又は両方に跨って後滑走部を備え、左右方向にスライドして開口部１０を開閉し得ることを特徴とする。
請求項２として、請求項１記載の開閉構造において、前側裾部と前壁案内部の間に前滑走部を、後側裾部と後壁案内部の間に後滑走部を備え、この前滑走部と後滑走部が蓋体の開閉方向に伸縮するスライドレールであることを特徴とする。
【０００６】
ここで収容体とは、枡状に開口している箱体で、塵類や各種商品等を収容する容器等で、移動可能なもの、一定の場所に設置しておくものを言い、開口部とは、物品投入口又は物品排出口を言い、平面視において略矩形状を成している。
ここで蓋体とは、収容体の開口部を左右方向にスライドして開閉するものを言い、分離蓋とは、蓋体を左右に二分割したものを言う。以下、開口部の左側を開閉するものを左分離蓋とし、開口部の右側を開閉するものを右分離蓋とする。
ここで裾部とは、蓋体天壁の前方側と後方側から垂下する部位で、以後、前方側から垂下する袖部を前側裾部とし、後方側から垂下する袖部を後側裾部とする。その前側裾部と前側裾部は、垂下状態で相対設している。
ここで案内部とは、収容体の前壁と後壁の上側において左右方向に設けるもので、蓋体の開閉操作時に、蓋体の開閉走行を誘導（ガイド）するものを言い、以後、前壁に設ける案内部は、蓋体の前側裾部と相対するので前側案内部とし、後壁に設ける案内部は、蓋体の後側裾部と相対するので後側案内部とする。
ここで滑走部とは、蓋体の前側裾部と前側案内部との間、及び後側裾部と後側案内部との間に介在するもの、或は、前側裾部と後側裾部に取付け、前側案内部と後側案内部に沿って走行するものを言う。以後、前側に設ける滑走部を前滑走部とし、後側に設ける滑走部を後滑走部とする。
【０００７】
請求項３は、請求項１，２記載の開閉構造において、蓋体の見やすい位置に、音や光で危険を知らせる警報機器を備えていることを特徴とする。
請求項４は、請求項１，２，３記載の開閉構造において、収容体は前後壁の左右に中央部より高くなる隆起部を各々備え、左右側壁の上側に前記隆起部まで達する目隠しを各々備え、蓋体は収容体の隆起部に覆い被さるよう蒲鉾状を成し、閉鎖時に隆起部と目隠しの何れかに当接するストッパーを備えていることを特徴とする。
請求項５は、請求項，３，４記載の開閉構造において、蓋体は、開口部の左半分を塞ぐ左分割蓋と、右半分を塞ぐ右分割蓋とに二分割され、左右分割蓋は、前壁案内部の外側において相対する前側裾部と、後壁案内部の外側において相対す後側裾部を各々備え、前側裾部に前壁案内部に沿って往復する前滑走部を、後側裾部に後壁案内部に沿って往復する後滑走部を備えていることを特徴とする。
【０００８】
ここで警報機器とは、収容体の移動時に、収容体の接近を第三者に知らせるもので、例えば警告灯や警報器等が最も良く知られている。その内、警告灯とは、光を点灯又は点滅するものであり、警報器とは、音を発生するものである。
ここで隆起部とは、収容体の前後壁の左右において、中央部より約５〜３０ｃｍ高くなる部位で、以後、前壁の左右に設ける隆起部を前隆起部とし、後壁の左右に設ける隆起部を後隆起部とする。
ここで目隠しとは、収容体の左右側壁より上方に延長した部位で、前後壁の隆起部まで達し、前隆起部と後隆起部の側端部間に連続する。以下、左側壁の上方に設ける目隠しを左目隠しとし、右側壁の上方に設ける目隠しを右目隠しとする。
ここでストッパーとは、左右分割蓋を開口方向にスライドし、全開位置まで達した時、左右分割蓋の開口移動を制限し、左右分割蓋の離脱を防ぐものを言う。
【０００９】
請求項６は、請求項２，５記載の開口部の開閉構造において、スライドレールは、前後壁案内部に取付ける第一レールと、左右分割蓋の前側裾部、及び後側裾部に取付ける第二レール、更に両レール間に介在する滑走体とから成り、左右分割蓋の閉鎖状態には第一レールと第二レールと滑走体の三者が重なり合い、全開状態には第一レールと第二レールは最も離れ、滑走体が両レールの任意位置にあり、開閉作動に従って長手方向に伸縮し得ることを特徴とする。
請求項７は、請求項１〜６のいずれか１項に記載の開口部の開閉構造において、収容体と蓋体は合成樹脂製であり、蓋体の任意位置に開閉用の手掛りを、収容体の左側壁側と右側壁側の少なくとも一方に持ち手を備え、収容体底面の下側にキャスターを走行自在に取付けていることを特徴とする。
【００１０】
ここでスライドレールとは、滑走部の一種類であり、蓋体の開閉操作に応じて、蓋体を案内部に沿ってガイドするものを言い、そのスライドレールを構成する第一レールとは、収容体の案内部に取付けるレールを言い、第二レールとは、分割蓋の裾部に取付けるレールを言う。更に、滑走部とは、第一レールに沿って滑走する第一滑走子と、第二レールに沿って滑走する第二滑走子とを、一体的に固定したものであり、第一レールと第二レールの伸縮に関係なく、任意位置に介在するものを言う。尚、第一レールを分割蓋の裾部に、第二レールを収容体の案内部に取付けても同様の効果を発揮する。
ここで手掛りとは、左右分割蓋を開閉する際に把握する把持部を言い、持ち手とは、収容体を移動する際に把握するハンドルの一種類であり、キャスターとは、収容体の移動を助ける車輪を言い、市販のものを用いる。
【発明の効果】
【００１１】
本発明による開口部の開閉構造は上記の通りであるから、次に記載する効果を奏する。
請求項１の開口部の開閉構造（以下、開閉構造とする。）は、収容体の開口部が略矩形状を成し、その前後壁の上側に左右方向に平行する案内部を個々に備える一方、蓋体の前後に前記案内部の外側において相対する裾部を備え、該裾部に前記案内部に沿って往復する滑走部を個々に備えているので、蓋体を開口部の左右方向に走行すれば、開口部を簡単に且つ軽く開口し得る。即ち、蓋体を上方向に持ち上げて開口部を開口する従来開閉構造に比較して、開口部の開口時に、重い蓋体を上方向に持ち上げる必要がない。その結果、婦女子でも簡単に開閉し得る。また、蓋体の裾部は天壁の前後より垂下し、収容体前後壁に設けた案内部の外側において相対しているので、蓋体の開閉時に、前後方向に離脱することがない。
請求項２の開閉構造は、請求項１の特徴に加えて、滑走部が蓋体の開閉方向に伸縮するスライドレールであり、これを蓋体裾部と収容体案内部との間に備えているので、蓋体をスライドレールの最大伸長域までガイドし得る。しかも、スライドレールの取付けも簡単容易である。
【００１２】
請求項３の開閉構造は、請求項１，２の特徴に加えて、蓋体の見やすい位置に警報機器を備えているので、収容体の移動を第三者に知らせることができる。その結果、収容体と第三者の接触事故等を未然に防ぐことができる。
請求項４の開閉構造は、請求項１，２，３の特徴に加えて、収容体は前後壁の左右に中央部より高くなる隆起部を備えているので、隆起部より下側に食い込む中央部から塵類や各種商品等を簡単に出し入れし得る。しかも、左右側壁の上側に前後壁の隆起部まで達する目隠しを備え、蓋体に隆起部と目隠しの何れかに当接するストッパーを備えているので、蓋体を脱落することなく解放走行し得る。
請求項５の開閉構造は、請求項１，２，３，４の特徴に加えて、蓋体は開口部の半分を塞ぐ左分割蓋と右分割蓋とに二分割されているので、その何れか一方を開閉走行することも可能であるし、両方を開閉走行することも可能である。即ち、開口部に対する塵類や各種商品等の投入量に応じて開口部を開閉し得る。しかも二分割された左右分割蓋を個別に開閉走行し得るので、開口部全体を覆う蓋体より開閉力が半減する。
【００１３】
請求項６の開閉構造は、請求項２，６の特徴に加えて、左右分割蓋の前側裾部と前記前壁案内部の間、及び後側裾部と前記後壁案内部の間にスライドレールを各々備えているので、左右分割蓋を開口部の略全開まで開放走行しえる。その結果、開口部に対する塵類や各種商品等の投入が容易になるし、収容体に収容された塵類や各種商品等の取出しも容易になる。
請求項７の開閉構造は、請求項１〜６のいずれか１項の特徴に加えて、収容体の側壁に持ち手を備え、収容体底面の下側にキャスターを取付けているので、持ち手を把持しながら収容体を任意方向に、しかも安全に移動しえる。
また、蓋体の任意位置に開閉用の手掛りを備えているので、手掛りを利用して簡単に開閉走行し得る。
【図面の簡単な説明】
【００１４】
【図１】本発明による開口部の開閉構造（以下、開閉構造とする。）の第一実施形態を示す収容体における蓋体閉鎖時の斜視図である。
【図２】同収容体にける蓋体の一部開口時の斜視図である。
【図３】第二実施形態に用いる収容体の平面図（イ）と正面図（ロ）である。
【図４】同収容体の左側面図（イ）と右側面図（ロ）である。
【図５】左右分割蓋の斜視図である。
【図６】蓋体の解放状態とスライドレールの関係を示す一部透視正面図である。
【図７】スライドレールの装着例を示す要部断面図である。
【図８】分割蓋の全開時における要部断面図である。
【図９】スライドレールの平面図（イ）と正面図（ロ）である。
【図１０】第三実施形態に用いる警報機器の斜視図である。
【発明を実施するための形態】
【００１５】
本発明による開口部の開閉構造（以下、開閉構造とする。）の第一実施形態を図１と図２に基づき説明すれば、収容体１の開口部１０を開閉する蓋体５において、収容体１は図３と図４の如く、相対する前後壁１１，１２と、相対する左右側壁１３，１４の下側に底壁１５を備え、開口部１０が略矩形状を成していて、その前後壁１１，１２の上側に左右方向に平行する案内部３１，３２を個々に備えている。
前壁１１に設ける前側案内部３１は、図７の如く前壁１１の上端部より内側に向けて突出する前側水平片３１ａと、該水平片３１ａの内端より起立する前側垂直片３１ｂとから成り、後壁１２に設ける後側案内部３２は、後壁１２の上端部より前側水平片３１ａに向けて突出する後側水平片３２ａと、該水平片３２ａの内端より起立し、前側垂直片３１ｂと相対する後側垂直片３２ｂとから成る。
【００１６】
蓋体５は図５の如く、開口部１０の左半分を塞ぐ左分割蓋５１と、右半分を塞ぐ右分割蓋５２とに二分割され、左右対称を成すので、以下、左分割蓋５１の説明には右分割蓋５２も含まれるものとする。
左分割蓋５１は、収容体１の前後壁１１，１２間に跨る天壁５ｃの任意位置に開閉用の手掛り９１を備える一方、前側に前側案内部３１の外側において相対する前側裾部５１ａを、後側に後側案内部３２の外側において相対する後側裾部５１ｂを備え、前側裾部５１ａと前側案内部３１の間に前滑走部４１を、後側裾部５１ｂと後側案内部３２の間に後滑走部４２を備えている。
前側案内部３１と後側案内部３２、前滑走部４１と後滑走部４２は、対称形状を成すので、以下、前側案内部３１は後側案内部３２を含み、前滑走部４１は後滑走部４２を含むものとする。
【００１７】
前滑走部４１として図２と図６の如くスライドレール７を用いることが望ましい。
そのスライドレール７は、図７と図９の如く前壁案内部３１の垂直片３１ｂの外面に固定する第一レール７１と、前壁案内部３１に相対する左分割蓋５１の前側裾部５１ａの内面に固定する第二レール７２、及び両レール７１，７２の間に介在する滑走体８とから成り、左分割蓋５１の開閉作動に従って長手方向に伸縮する。
滑走体８は第一レール７１に沿って滑走する第一滑走子８１と、第二レール７２に沿って滑走する第二滑走子８２とが一体的に固定している。
そして、左右分割蓋５１，５２の閉鎖状態では、第一レール７１と第二レール７２と滑走体８の三者が略完全に重なり合い、全開状態では第一レール７１と第二レール７２は最も離れ、滑走体８は両レール７１，７２の任意位置に介在している。
【００１８】
本発明による開閉構造の第二実施形態を、第一実施形態と相違する点について説明すると、第二実施形の開閉構造は図３と図４の如く、収容体１の前後壁１１，１２の左側に中央部より高くなる左隆起部１６を、また右側に中央部より高くなる右隆起部１８を各々備え、左側壁１３の上側に左隆起部１６まで達する左目隠し１８を、右側壁１４の上側に右隆起部１７まで達する右目隠し１９を備える一方、左分割蓋５１の天壁５ｃを、図５の如く左隆起部１６に覆い被さるよう蒲鉾状に形成し、図８の如く開口完了時に左隆起部１６と左目隠し１８の何れかに当接するストッパー６を備えている。
【００１９】
本発明による開閉構造の第三実施形態を、第一・第二実施形態と相違する点について説明すると、第三実施形の開閉構造は図１の如く、左右分割蓋５１，５２の少なくとも一方の見やすい位置に警報機器２を備え、該警報機器２として、例えば図１０の如く光を照射したり点滅する警告灯、具体的には、黄色や赤色に点滅するライト等を用い、更に、警報音を発生する拡声器、警音やメロディーを発生する警音器等を用いる。
警報機器２の取付け手段として、例えば警報機器２の裏側に磁石Ｍを取付け、左右分割蓋５１，５２の少なくとも一方の裏面に磁石Ｍに吸着する金属板を取付ければ、磁力を利用して警報機器２を簡単に着脱し得る。
【産業上の利用可能性】
【００２０】
実施例において、蓋体５を二分割した一方の左分割蓋５１を主として説明したが、他方の右分割蓋５２は、天壁５ｃの前方側に前壁案内部３１の外側において相対する前側裾部５２ａを、後方側に後壁案内部３２の外側において相対す後側裾部５２ｂを備え、左分割蓋５１と対称形を成している。
また、蓋体５は二分割した左右分割蓋５１，５２に限定されるものではなく、一体形状であってもよく、一体形状の蓋体５にあっては、天壁５ｃの前方側に前記前壁案内部３１の外側において相対する前側裾部５ａを、後方側に後壁案内部３２の外側において相対す後側裾部５ｂを備え、前側裾部５ａと前壁案内部３１の間に前滑走部４１を、後側裾部５ｂと後壁案内部３２の間に後滑走部４２を個々に備えることも可能である。
【００２１】
実施例において、前滑走部４１と後滑走部４２にスライドレール７を用いたが、スライドレール７の代わりに前後壁案内部３１，３２の水平片３１ａ，３２ａに沿って回転するローラーを用いることも可能である。即ち、左分割蓋５１の前側裾部５１ａと後側裾部５１ｂの内面側にローラーを回転自在に軸支すれば、ローラーより内側にて起立する案内部垂直片３１ｂ，３２ｂによって脱輪が阻止されている。
実施例において、警報機器２の底側に磁石Ｍを、蓋体天壁５ｃの裏面に金属板を備えたが、反対に蓋体天壁５ｃの裏面に磁石Ｍを、警報機器２の底側に金属板を備えても同様の効果が得られる。磁石としては、例えば磁力を常時発生している永久磁石、電気を通した時に磁力を発生するソレノイドが望ましく、金属板としては、磁力に吸着する金属類で、厚さは２ｍｍ以下が望ましい。
【００２２】
収容体１と蓋体５（左右分割蓋５１，５２を含む。）は合成樹脂製であり、５００リットル以上の収容量を有する収容体１に用いる蓋体５にあっては、裾部５ａ，５ｂや天壁５ｃに図５の如く補強リブ５ｄを備えることが望ましい。
また、収容体１の左側壁１３と左目隠し１８、及び右側壁１４と右目隠し１９の少なくとも一方に図３と図４の如く持ち手９を備え、収容体底面１５の下側に図１の如くキャスター２０を取付けておけば、収容体１を任意方向に走行自在に移動し得る。
本発明による開閉構造を用いる収容体１として、例えば、家庭用塵類を回収したり運搬する塵収容体、産業廃棄物を回収したり運搬する廃棄物収容体、或は魚類を運搬する魚収容体、更に各種商品を収納、回収、運搬する商品収容体等として利用し得る。
【符号の説明】
【００２３】
１  枡状の収容体
１１  前壁，１２  後壁、１３  左側壁、１４  右側壁、１５  底壁
１６  左隆起部、１７  右隆起部、１８  左目隠し、１９  右目隠し
２  警報機器
３１  前壁案内部、３２  後壁案内部
３１ａ，３２ａ  水平片、３１ｂ，３２ｂ  垂直片
４１  前滑走部、４２  後滑走部
５  蓋体、５１  左分割蓋、５２  右分割蓋、５ｃ  天壁、５ｄ  補強リブ
５ａ，５１ａ，５２ａ  前側裾部、５ｂ，５１ｂ，５２ｂ  後側裾部
６  ストッパー
７  スライドレール、７１  第一レール、７２  第二レール
８  滑走体、８１  第一滑走子、８２  第二滑走子
９  持ち手、９１  左手掛り
１０  開口部
２０  キャスター
Ｍ  磁石
【図３】
2016182995.tif 000003
【図４】
2016182995.tif 000004
【図６】
2016182995.tif 000005
【図７】
2016182995.tif 000006
【図８】
2016182995.tif 000007
【図９】
2016182995.tif 000008
【図１】
2016182995.tif 000009
【図２】
2016182995.tif 000010
【図５】
2016182995.tif 000011
【図１０】
2016182995.tif 000012